(57)【要約】      （修正有）【課題】カード内部での音声再生ユニットの各部材の位置ずれがなく、カード面が平坦で見た目がよく、不用意な圧潰等が生じても壊れ難いグリーティングカードを提供する。【解決手段】グリーティングカード１は、カード台紙部１Ａとカード背紙部１Ｂとが一体的に連設され、カード台紙部には、音声記録用のＩＣチップ２１Ａを備えた制御回路２１Ｂ、音声再生用のスピーカ２１Ｃ、電池収容ケース２１Ｄ及び再生起動用のスイッチ２１Ｅからなる音声再生ユニット２１が配され、カード背紙部がカード台紙部側に折り畳まれて音声再生ユニットが挟持され、カード台紙部とカード背紙部との間には、少なくとも、ＩＣチップを備えた制御回路、スピーカ及び電池収容ケースを囲繞又は埋設するように収容する収容開口部１２を備えた平板状のクッション材１１が配され、ＩＣチップを備えた制御回路、スピーカ及び電池収容ケースは、収容開口部内に収容されている。【選択図】図１
0003218924.tif 000002
【実用新案登録請求の範囲】
【請求項１】
カード台紙部とカード背紙部とが一体的に連設され、
前記カード台紙部には、音声記録用のＩＣチップを備えた制御回路、音声再生用のスピーカ、電池収容ケース及び再生起動用のスイッチからなる音声再生ユニットが配され、
前記カード背紙部が前記カード台紙部側に折り畳まれて前記音声再生ユニットが挟持されてなるグリーティングカードであって、
前記カード台紙部と前記カード背紙部との間には、前記音声再生ユニットのうち、少なくとも、前記ＩＣチップを備えた制御回路、前記スピーカ及び前記電池収容ケースを囲繞又は埋設するように収容する収容開口部を備えた平板状のクッション材が配され、
前記音声再生ユニットのうち、少なくとも、前記ＩＣチップを備えた制御回路、前記スピーカ及び前記電池収容ケースは、前記クッション材の前記収容開口部内に収容されてなることを特徴とするグリーティングカード。
【請求項２】
前記クッション材には、前記スイッチの配置位置を位置決めするためのスリットが設けられていることを特徴とする請求項１に記載のグリーティングカード。
【請求項３】
前記カード背紙部には、前記クッション材の前記収容開口部に収容された前記電池収容ケースと対向する位置に、当該電池収容ケース内の電池を交換するための窓部が形成されていることを特徴とする請求項１又は２に記載のグリーティングカード。
【請求項４】
前記音声記録用のＩＣチップを備えた制御回路におけるＩＣチップは、名前及び敬称を予め楽曲音源として収録した記録媒体から、ユーザの注文に応じた名前及び敬称の楽曲データを当該ＩＣチップに入力したものであることを特徴とする請求項１〜３のいずれか１項に記載のグリーティングカード。
【考案の詳細な説明】
【技術分野】
【０００１】
本考案は、例えばバースデイカードやクリスマスカード等の特定の個人に贈るグリーティングカードに関し、特に音声再生機能を備えたグリーティングカードに関する。
【背景技術】
【０００２】
バースデイカードやクリスマスカード等のグリーティングカードにおいて、贈り先である相手を喜ばせたり、相手に対する気持ちを文字や絵以外でも伝えられるよう、カードの趣旨に適した音楽を鳴奏したり、贈り主からのメッセージを音声で伝達することができるグリーティングカードが種々提案されている。
【０００３】
例えば、特許文献１では、音声メッセージカードに組み込まれた音声発生ユニットの部品点数を減らして組み立て容易とするため、制御回路、音声データ再生起動用の起動スイッチ、スピーカ接続線、音声データの書き込み端子及びボタン型の乾電池を一体のフレキシブル基板で構成した音声メッセージカードが提案されている。この音声発生ユニットは、商品の目的に沿って種々の印刷が施され、所定のサイズに折り畳まれたシート状の音声メッセージカードに内包されている。
【０００４】
また、特許文献２では、ポップアップしたキャラクターから声が出ているように見えるメッセージカードとして、所定の折り目で折り畳み可能に構成されたカード本体と、この折り目の近傍に設けられ、カード本体を開いたときに立体的に出現するように構成された図柄部材と、カード本体の内部に設けられたスピーカ、所定のメッセージをキャラクターの音声で記憶すると共にスピーカに再生させるように構成された回路基板及び再生を開始するスイッチを有する音声モジュールとを備えたメッセージカードが開示されている。音声モジュールは、カード本体を構成する裏面の第１裏面に配置されているが、第３裏面を折り畳んで第１裏面に接着することにより、音声モジュールはカード本体の内部に収容されている。
【先行技術文献】
【特許文献】
【０００５】
【特許文献１】特開平５−２９０５９４号公報
【特許文献２】実用新案登録第３２０５８４３号公報
【考案の概要】
【考案が解決しようとする課題】
【０００６】
上述した特許文献１の音声メッセージカード及び特許文献２のメッセージカードでは、音声発生ユニット又は音声モジュールは、所定のサイズに折り畳まれたシート状のカードの内部にそのまま収容されている。それゆえ、カード面には音声発生ユニット等の厚みによる凹凸が生じており、平坦な面とはなっていなかった。また、カードに対して想定外の大きな力が加えられると、カード内部で音声発生ユニット等の位置ずれが発生したり、音声ユニット等が損傷するおそれを有していた。
【０００７】
また、特許文献１の音声メッセージカードでは、駆動電源であるボタン型電池がフレキシブル基板上に圧接接続されているため、電池を交換するには、音声メッセージカードを破断するなどしてフレキシブル基板を露出させたのち、フレキシブル基板に接続されている電池を取り外す必要があった。同様に、特許文献２のメッセージカードにおいても、電源を有する音声モジュールは外部から接触できない状態でカード本体の内部に収容されているため、カードを破断等することなく電池を交換することは困難であった。すなわち、これらのメッセージカードでは電池交換は予定されておらず、電池が消耗すると音声の再生は行われなくなっていた。
【０００８】
さらに、上述した特許文献１及び特許文献２では、何らかの音声やキャラクターの音声を入力して再生することは記載されているが、ユーザの注文に応じた名前や敬称を楽曲データとして入力し、再生するメッセージカードについては提案されていない。
【０００９】
したがって、本考案は上述した点に鑑みて案出されたもので、その目的は、カード面が平坦で見た目がよく、カード内部での音声再生ユニットの各部材の位置ずれがなく、そして、不用意な圧潰等が生じても壊れ難いグリーティングカードを提供することにある。
【００１０】
また、本考案の他の目的としては、カードを破断せずに容易に電池交換することができるグリーティングカードを提供することにある。
【００１１】
さらに、本考案の他の目的としては、たとえば、バースデイカードの場合には、ハッピーバースデイトゥーユーという楽曲のうち、「ハッピーバースデイ・ディア・“名前”“敬称”」という箇所において、“名前”及び“敬称”の部分をユーザが選択した名前及び敬称で楽曲を再生するなど、贈り先の相手の名前や所望の敬称での楽曲が再生されるグリーティングカードを提供することにある。
【課題を解決するための手段】
【００１２】
上述した課題を解決するため、本考案のグリーティングカードは、カード台紙部とカード背紙部とが一体的に連設され、カード台紙部には、音声記録用のＩＣチップを備えた制御回路、音声再生用のスピーカ、電池収容ケース及び再生起動用のスイッチからなる音声再生ユニットが配され、カード背紙部が前記カード台紙部側に折り畳まれて音声再生ユニットが挟持されてなるグリーティングカードであって、カード台紙部とカード背紙部との間には、音声再生ユニットのうち、少なくとも、ＩＣチップを備えた制御回路、スピーカ及び電池収容ケースを囲繞又は埋設するように収容する収容開口部を備えた平板状のクッション材が配され、音声再生ユニットのうち、少なくとも、ＩＣチップを備えた制御回路、スピーカ及び電池収容ケースは、クッション材の収容開口部内に収容されてなる。音声再生ユニットのＩＣチップを備えた制御回路、スピーカ及び電池収容ケースが、平板状のクッション材に囲繞又は埋設されてカード台紙部とカード背紙部との間に配置されるため、音声再生ユニットを構成する上記部材の位置ずれがなく、カード面が平坦となる。また、音声再生ユニットを構成する上記部材はこのクッション材で保護されるため、不用意な圧潰が生じても音声再生ユニットが破損し難く、壊れ難いグリーティングカードが得られる。
【００１３】
また、クッション材には、スイッチの配置位置を位置決めするためのスリットが設けられていることも好ましい。音声の再生に重要なスイッチの位置を的確に決定することができるため、音声再生ユニットの組付けを容易とすることができる。また、クッション材上にスイッチを配置することができるため、スイッチが押しこみやすく、スイッチ操作性が高められる。
【００１４】
また、カード背紙部には、クッション材の収容開口部に収容された電池収容ケースと対向する位置に、電池収容ケース内の電池を交換するための窓部が形成されていることも好ましい。カードを破断や分解することなく、カード背紙部に設けられた窓部を介して電池収容ケースにアクセスすることができるため、電池を容易に交換することができる。これによりグリーティングカードを電池の消耗により使用できなくなることがなく、半永久的に使用することができる。
【００１５】
さらに、音声記録用のＩＣチップを備えた制御回路におけるＩＣチップは、名前及び敬称を予め楽曲音源として収録した記録媒体から、ユーザの注文に応じた名前及び敬称の楽曲データをＩＣチップに入力したものであることも好ましい。これにより、オンデマンドで贈り先の相手の名前や所望の敬称での楽曲データがＩＣチップに入力され、贈り先で、贈り先本人の名前が再生されるグリーティングカードが得られる。
【００１６】
また、カード台紙部、カード背紙部及びカード表紙部が順次一体的に連設され、カード表紙部がカード台紙部に対し開閉自在に折り畳まれてなることも好ましい。これにより、デザイン性やメッセージ性を高めたカード表紙部を簡単な構造で設けることができる。
【考案の効果】
【００１７】
本考案に係るグリーティングカードは以上説明したように構成されているため、音声再生ユニットを構成する各部材の位置ずれがなく、カード面が平坦となり、不用意な圧潰が生じても壊れ難く、しかも、カードを分解等することなく容易に電池交換することができ、オンデマンドで贈り先の相手の名前や所望の敬称での楽曲データがＩＣチップに入力され、贈り先本人の名前が再生されるグリーティングカードが得られる。
【００１８】
すなわち、本考案に係るグリーティングカードは、音声再生ユニットのＩＣチップを備えた制御回路、スピーカ及び電池収容ケースが、平板状のクッション材に囲繞又は埋設されてカード台紙部とカード背紙部との間に配置されているため、音声再生ユニットを構成する上記部材の位置ずれがなく、カード面が平坦に形成される。また、音声再生ユニットを構成する上記部材は、このクッション材で支持固定されると同時に保護されるため、不用意な圧潰が生じても音声再生ユニットが破損し難く、壊れ難い。このように優れたグリーティングカードを簡易な構成で且つ安価に提供することができる。
【００１９】
また、クッション材には、音声再生ユニットのスイッチの配置位置を位置決めするスリットが設けられているので、製造時にスイッチを的確な位置に組付けすることができ、安定したスイッチ操作を可能とすることができる。
【００２０】
カード背紙部には、電池収容ケースに対向する位置に電池収容ケース内の電池を交換するための窓部が形成されているので、カードを分解せずに窓部を介して電池収容ケースのケース開閉蓋を開ける等することで、電池等を容易に交換することができ、これによりカードを繰り返し使用することができる。
【００２１】
さらに、本考案では、制御回路におけるＩＣチップは、名前及び敬称を予め楽曲音源として収録した記録媒体からユーザの注文に応じた名前及び敬称を楽曲データとしてＩＣチップに入力可能としたので、オンデマンドで贈り先の相手の名前や所望の敬称での楽曲データをＩＣチップに入力でき、贈り先で、贈り先本人の名前が再生されるグリーティングカードが得られる。従来流通しているオンデマンドでの名入れ商品のほとんどは、文字や絵柄等の印刷等による視覚的なオンデマンド商品であったのに対し、本考案にかかるグリーティングカードは“楽曲による名入れ”であり、聴覚的な音楽としてのオンデマンドであるため、従来品との差別化が実現される。
【００２２】
また、本考案に係るグリーティングカードは、他の再生機器も必要とせずにカードの一部のスイッチを押すだけでＩＣチップに入力された楽曲が例えば所定時間（所定回数）だけ再生されるため、子供から高齢者にいたるまでユーザを選ばずに誰にでも簡単に使用することができる。
【図面の簡単な説明】
【００２３】
【図１】本考案を実施するための一形態を示すグリーティングカードを展開した分解斜視図である。
【図２】グリーティングカードの組み立て手順を示す説明図であって、（ａ）はクッション材の収容開口部に音声再生ユニットを装着してカード台紙部上に取り付けた状態の斜視図、（ｂ）はカード背紙部をカード台紙部上に折り畳んだ状態の斜視図、（ｃ）はカード表紙部をカード台紙部側に折り畳んだ状態の斜視図である。
【図３】グリーティングカードの使用手順を示す説明図であって、（ａ）はカード表紙部によってカード台紙部上を覆った状態の斜視図、（ｂ）はカード表紙部をカード台紙部から開いた状態の斜視図である。
【図４】クッション材の一例を示す拡大平面図である。
【図５】音声再生ユニットの外観を示す拡大平面図である。
【図６】音声再生ユニットのブロック構成図である。
【図７】楽曲による名入れの手順を示すフローチャートである。
【図８】グリーティングカードの使用手順を示すフローチャートである。
【考案を実施するための形態】
【００２４】
以下、図面を参照して本考案を実施するための一形態を説明する。図１に示すように、本実施形態に係るグリーティングカード１は、カード台紙部１Ａ、カード背紙部１Ｂ及びカード表紙部１Ｃが順次一体的に連設されたカード本体部と、クッション材１１と、音声再生ユニット２１とから概略構成されている。
【００２５】
まず、図１〜図３を参照し、カード本体部について説明する。本実施形態におけるカード本体部は、展開された状態において平面視略矩形状を呈している。カード本体部は、紙、合成樹脂シート又は金属薄板等で形成することができ、カード台紙部１Ａ、カード背紙部１Ｂ及びカード表紙部１Ｃは順次所定幅の折り返し部ｄ１，ｄ２を介して一体的に連設され、カード台紙部１Ａの幅方向及び長手方向の各端部からは互いに内側に向けて略Ｌ字状に折り返される保持フラップ部３が延設されている。カード台紙部１Ａ及びカード背紙部１Ｂとの間に設けられた折り返し部ｄ１、カード背紙部１Ｂ及びカード表紙部１Ｃとの間に設けられた折り返し部ｄ２、及び保持フラップ部３は、夫々の幅長さが前記クッション材１１の厚さと略同じ大きさに形成されることが好ましい。これにより、クッション材１１が、カード台紙部１Ａとカード背紙部１Ｂとの間の空間に隙間なく収容され、カード台紙部１Ａの表面が平坦となり、クッション材１１の音声再生ユニット２１の保護及び位置ずれ防止の機能が十分に発揮される。また、カード背紙部１Ｂには、後述する電池収容ケース２１Ｄ内のボタン型等の電池を交換するための矩形開口状の窓部２が穿設されている。窓部２は、クッション材１１の収容開口部１２に収容された電池収容ケース２１Ｄと対向する位置に設けられている。さらに、カード台紙部１Ａの表面には、クッション材１１上に配置されたスイッチ２１Ｅの位置に相当する部位にはプッシュマーク２２が施されている（図３（ｂ）参照）。また、カード台紙部１Ａの表裏面、カード背紙部１Ｂ及びカード表紙部１Ｃの各表面には、カードの趣旨に適した各種の図柄や文字等を施すことができ、贈り主のメッセージを記入できる欄なども適宜設けることができる。
【００２６】
また、本実施形態におけるカード本体部は、カード台紙部１Ａ、カード背紙部１Ｂ及びカード表紙部１Ｃが順次一体的に連設されて形成されているが、カード表紙部１Ｃが無い構成とすることも可能である。また、カード表紙部１Ｃをカード台紙部１Ａと一体的に連設した構成とすることも可能であり、この場合には、カード表紙部１Ｃ、カード台紙部１Ａ及びカード背紙部１Ｂが順次一体的に連設されて形成されることになる。
【００２７】
次に、図５及び図６を参照し、音声再生ユニット２１について説明する。本実施形態における音声再生ユニット２１は、音声記録用のＩＣチップ２１Ａが実装された基板等による制御回路２１Ｂ、不図示の増幅器を備えた圧電発音体による音声再生用のスピーカ２１Ｃ、ボタン型電池等を収容する開閉蓋付きの電池収容ケース２１Ｄ、一対のリード線２１Ｆを介して前記制御回路２１Ｂに接続されたメンブレンスイッチ等の再生起動用のスイッチ２１Ｅを備えている。なお、本実施形態におけるスイッチ２１Ｅには、一度押圧すると音声が再生され、再生中にもう一度押圧すると音声の再生が停止できるよう、制御回路２１Ｂに不図示のスイッチ回路が構成されている。これら音声再生ユニット２１は、後述するクッション材１１に囲繞又は埋設されてカード台紙部１Ａとカード背紙部１Ｂとで挟持されている。
【００２８】
次に、図４を参照し、クッション材１１について説明する。クッション材１１は、平板状の合成樹脂発泡体や三次元網状構造体等によって形成され、合成樹脂発泡体としては、例えば、ポリウレタン発泡体、ポリエチレン発泡体等のポリオレフィン発泡体等が選択される。本実施形態のクッション材１１の幅及び奥行きの大きさは、カード台紙部１Ａ及びカード背紙部１Ｂと略同じ程度に形成され、クッション材１１の厚み方向の長さは、折り返し部ｄ１，ｄ２の幅方向の長さと略同じ程度に形成されている。一例として、本実施形態では、厚さ約８ｍｍの硬質ポリウレタン発泡体をクッション材１１の材料として選択している。クッション材１１の内側には、図４に示すように、音声再生ユニット２１のＩＣチップ２１Ａを備えた制御回路２１Ｂ、スピーカ２１Ｃ、電池収容ケース２１Ｄを埋設又は囲繞するように収容するための収容開口部１２が形成されている。収容開口部１２は、音声再生ユニット２１の各構成部品を埋設又は囲繞するように収容するため、各構成部品の外周輪郭と同程度の大きさに形成されることが好ましい。収容開口部１２は、使用する音声再生ユニット２１の各構成部品の形状や大きさに応じて形成することができ、クッション材１１の厚み方向に貫通した開口部とすることも、部分的に非貫通としたハーフカット状の開口部として形成することも可能である。本実施形態では、収容開口部１２は、ディスク状のスピーカ２１Ｃを収容する円形収容部１２Ａと、ＩＣチップ２１Ａを備えた制御回路２１Ｂ及び電池収容ケース２１Ｄを一体として収容する縦長の矩形収容部１２Ｂと、制御回路２１Ｂに接続されたリード線２１Ｆの接続端子側に対応して形成された横長の矩形開口部１２Ｃとを有し、いずれもクッション材１１の厚さ方向に貫通した開口部として形成している。
【００２９】
また、本実施形態におけるクッション材１１には、音声再生ユニット２１のスイッチ２１Ｅの配置位置を位置決めするためのスリット１３が設けられている。カード台紙部１Ａの表面には、使用者が指で押す部分にプッシュマーク２２が施されているところ、安定したスイッチ操作を実現するため、プッシュマーク２２に相当する位置にスイッチ２１Ｅを確実に配置することは重要である。そのため、クッション材１１上にスリット１３を設け、このスリット１３をスイッチ２１Ｅの設置位置のガイドとして用いる。本実施形態では、スリット１３にスイッチ２１Ｅの下端部が沿うようにスイッチ２１Ｅを設置している。これにより、スイッチ２１Ｅの中央部分がちょうどカード台紙部１Ａのプッシュマーク２２に対応する位置に配置される。
【００３０】
上述したクッション材１１の収容開口部１２及びスリット１３は、収容開口部及びスリットを形成するためのトムソン刃を備えるトムソン型等を用いて、クッション材１１を構成する平板状の合成樹脂発泡体等を板状プレス加工するのみで得られる。それゆえ、例えば、スイッチ２１Ｅの位置決めのために、カード台紙部１Ａやクッション材にガイド線を別途印刷したり、ペンで印付けする工程を不要とすることができる。
【００３１】
次に、上述のように構成された本実施形態に係るグリーティングカード１の組み立て手順の一例について図１及び図２を参照して説明する。まず、図１に示すように、平板状のクッション材１１に音声再生ユニット２１をセットする。音声再生ユニット２１のうち、ディスク状のスピーカ２１Ｃについては、収容開口部１２の円形収容部１２Ａに嵌め込みして収容し、ＩＣチップ２１Ａを備えた制御回路２１Ｂ及び電池収容ケース２１Ｄについては、これらを一体として、収容開口部１２の矩形収容部１２Ｂに嵌め込みして収容する。制御回路２１Ｂに接続されたリード線２１Ｆについては、少なくとも、その接続端子部分を収容開口部１２の矩形開口部１２Ｃに収容する。また、リード線２１Ｆに接続されているスイッチ２１Ｅについては、クッション材１１のカード台紙部１Ａと当接する面側にスイッチ２１を配置するが、このとき、クッション材１１に設けられているスリット１３にスイッチ２１Ｅの下端部が沿うようにスイッチ２１Ｅを設置し、接着剤や接着テープ等で固定する。
【００３２】
次に、図２（ａ）に示すように、音声再生ユニット２１が収容されたクッション材１１をカード台紙部１Ａ内に配置する。カード台紙部１Ａ周囲の保持フラップ部３を互いに内側に向けて折り返した後、図２（ａ）及び図２（ｂ）に示すように、カード背紙部１Ｂを折り返し部ｄ１を介して図中矢印Ａ方向に折り返し、保持フラップ部３の表面とカード背紙部１Ｂの裏面とを接着することで、クッション材１１はカード台紙部１Ａとカード背紙部１Ｂとの間に収容保持される。このときカード背紙部１Ｂの窓部２は電池収容ケース２１Ｄに対向位置した状態となり、カード背紙部１Ｂの窓部２から電池収容ケース２１Ｄにアクセス可能である。そして、図２（ｂ）及び図２（ｃ）に示すように、折り返し部ｄ２を介してカード表紙部１Ｃを図中矢印Ｂ方向（カード台紙部１Ａ側）に折り返すことで、グリーティングカード１が完成する。
【００３３】
次に、本実施形態に係るグリーティングカード１の使用方法について図３を参照して説明する。グリーティングカード１の音声再生時には、図３（ａ）及び図３（ｂ）に示すように、カード表紙部１Ｃを図中矢印Ｃ方向に開き、カード台紙部１Ａ上のプッシュマーク２２を押圧すると、プッシュマーク２２と対応する位置に配置されている再生起動用のスイッチ２１ＥがＯＮとなる。これにより、音声記録用のＩＣチップ２１Ａに記録（入力）されている楽曲が音声再生用のスピーカ２１Ｃから再生される。また、電池の消耗により、音声再生ユニット２１が起動しなくなった場合には、図２（ｃ）に示すように、カード背紙部１Ｂの窓部２から電池収容ケース２１Ｄのケース開閉蓋を開け、古くなった電池を取りだし、新しい電池に交換すればよい。
【００３４】
次に、本実施形態に係るグリーティングカード１における、楽曲による名入れの手順について、図７に示すフローチャートにより説明する。まず、ステップＳ１０では、曲をベースにした名前の収録を行う。具体的には、名入れ対象となる複数の名前を選定し、所定の楽曲の任意の名前を歌う部分について、選定した名前で歌い手が歌ったデータを収録する。収録は収録スタジオ等で行われ、所定の楽曲の任意の名前を歌う部分のほか、任意の敬称（〜ちゃん、〜くん、〜さん、〜部長（役職）等）を歌う部分及び、所定の楽曲の残りの歌の部分についても収録する。また、名前には、名（下の名前）だけでなく、姓（名字）も含まれる。なお、１つの楽曲における歌の収録は、任意の名前・敬称を歌う部分もそれ以外の歌の部分も同一人物が一連の流れとして歌うことが自然であるため、同一人物による収録であることが好ましい。
【００３５】
一例として、本実施形態では、「ハッピーバースデイトゥーユー」という楽曲を選択し、「ハッピーバースデイ・ディア・“名前”“敬称”」という箇所について、収録スタジオにて、１人の声優が１８００種もの名前及び２つの敬称（ちゃん、くん）についてそれぞれ歌ったデータを収録している。
【００３６】
引き続き、ステップＳ２０では、ステップＳ１０で収録された歌唱を音源として記録媒体（図示せず）にデータ化する。具体的には、収録された名前ごと及び敬称ごとに音源データ化を行う。例えば、本実施形態では、１８００数もの名前及び２つの敬称について歌った音源データについて、個々に記録媒体にデータ化を行っている。
【００３７】
ステップＳ３０では、ユーザから楽曲による名入れの依頼があったか否かを判定する。この依頼は、例えば、ウェブサイトを介したインターネット接続などの双方向情報通信により行われる。この判定は、依頼があるまでループ待機し、依頼があればステップＳ４０に移行する。このステップＳ４０では、ステップＳ２０でデータ化した音源を記録媒体から読み出す作業が行われる。そして、ステップＳ５０では、記録媒体から読み出した音源データにユーザの注文（選択）に対応した名前や敬称があったか否かを判定する。対応する名前や敬称があった場合には、ステップＳ７０に移行し、対応する名前や敬称がなかった場合には、ステップＳ６０に移行する。ステップＳ６０では、ステップＳ２０と同様の手順により記録媒体に音源データが追加更新され、ユーザの注文（選択）に対応した名前や敬称の音源データが記録媒体に追加される。なお、必要に応じてステップＳ１０と同様の手順により、ユーザの注文（選択）に対応した名前や敬称についての歌の収録が行われる。
【００３８】
ステップＳ７０では、グリーティングカード１を構成する音声再生ユニット２１のＩＣチップ２１Ａに、記録媒体から読み出した、ユーザの注文に応じた特定の人の名前及び敬称の音源データを組み合わせた楽曲データを録音（入力）した後、本フローは終了する。
【００３９】
これにより、本実施形態では「ハッピーバースデイトゥーユー」という楽曲のうち、「ハッピーバースデイ・ディア・“名前”“敬称”」という箇所において、“名前”及び“敬称”の部分を注文者が希望した名前及び敬称で曲が再生されるバースデイカードが得られる。
【００４０】
次に、本実施形態に係るグリーティングカード１の再生手順について、図８に示すフローチャートにより説明する。グリーティングカード１の音声再生時において、まず、ステップＳ１１０では、カード表紙部１Ｃを開き、カード台紙部１Ａ上のプッシュマーク２２が押圧操作（スイッチ２１ＥがＯＮ）されたか否かを判定する。この判定は、プッシュマーク２２が押圧操作されるまでループ待機し、プッシュマーク２２が押圧操作されたならばステップＳ１２０に移行する。
【００４１】
ステップＳ１２０では、音声記録用のＩＣチップ２１Ａに記録（入力）されている楽曲の音声データを音声再生用のスピーカ２１Ｃによって再生する。この再生により、本実施形態では、「ハッピーバースデイトゥーユー」という楽曲のうち、「ハッピーバースデイ・ディア・“名前”“敬称”」という箇所において、“名前”及び“敬称”が贈り主が希望した名前及び敬称、すなわち、贈り先の相手の名前で楽曲が再生される。
【００４２】
ステップＳ１３０では、プッシュマーク２２が再度押圧操作（スイッチ２１ＥがＯＦＦ）されたか否かを判定する。プッシュマーク２２が再度押圧操作されると、ステップＳ１５０に移行し、プッシュマーク２２が押圧操作されていない場合は、ステップＳ１４０に移行する。すなわち、プッシュマーク２２を一度押したら再生されるが、再生中にプッシュマーク２２をもう一度押すと楽曲の再生が止まり、所定時間の再生が完了しなくても、途中で再生を停止することができる。そのため、誤ってプッシュマーク２２を押してしまい、意図せず再生が始まってしまったような場合においても、再度プッシュマーク２２を押すことにより速やかに再生を停止することができる。
【００４３】
ステップＳ１４０では、上記スピーカ２１Ｃによる再生が行われている状態において、所定時間経過したか否かを判定する。この判定は、所定時間経過されるまでループ待機し、所定時間経過したならばステップＳ１５０に移行する。そして、ステップＳ１５０では、上記所定時間経過したことを契機にスイッチ２１Ｅが自動的にＯＦＦとなって上記スピーカ２１Ｃによる再生が停止するか、あるいは、ステップＳ１３０で再生中にプッシュマーク２２がもう一度押圧操作されたと判定されたことにより再生が停止する。その後、本フローは終了する。
【００４４】
以上説明したように、本実施形態では、例えば１８００種もの名前や複数の敬称を予め楽曲音源として収録した記録媒体から、ユーザの注文に応じた名前や敬称を楽曲データとしてＩＣチップ２１Ａに入力可能としたので、オンデマンドにより特定の人の名前で歌った楽曲が再生されるグリーティングカードを提供することができる。なお、上述の説明においては、グリーティングカード１をバースデイカードとして利用したものについてのみ説明しているが、クリスマスカード等の他の種類のグリーティングカードとしても利用することができる。
【００４５】
本考案は、上記の実施形態に限定されるものでなく、実用新案登録請求の範囲に記載された考案の要旨を逸脱しない範囲内での種々、設計変更した形態も技術的範囲に含むものである。
【符号の説明】
【００４６】
１      グリーティングカード
１Ａ    カード台紙部
１Ｂ    カード背紙部
１Ｃ    カード表紙部
ｄ１，ｄ２    折り返し部
２      窓部
３      保持フラップ部
１１    クッション材
１２    収容開口部
１２Ａ  円形収容部
１２Ｂ  矩形収容部
１２Ｃ  矩形開口部
１３    スリット
２１    音声再生ユニット
２１Ａ  ＩＣチップ
２１Ｂ  制御回路
２１Ｃ  スピーカ
２１Ｄ  電池収容ケース
２１Ｅ  スイッチ
２１Ｆ  リード線
２２    プッシュマーク
【図１】
0003218924.tif 000003
【図２】
0003218924.tif 000004
【図３】
0003218924.tif 000005
【図４】
0003218924.tif 000006
【図５】
0003218924.tif 000007
【図６】
0003218924.tif 000008
【図７】
0003218924.tif 000009
【図８】
0003218924.tif 000010